(57)【要約】  端末装置２０は、複数種類のニオイに反応してセンサデータを出力する、ニオイセンサ４０から、センサデータを収集する、センサデータ収集部２１と、センサデータを分析してニオイ解析対象を解析するための解析器を複数保持する、サーバ装置１０から、指定されたニオイ解析対象を解析可能な解析器が送信されてきた場合に、送信されてきた解析器を取得する、解析器取得部２２と、収集されたセンサデータに、取得された解析器を適用することによって、指定されたニオイ解析対象の解析処理を実行する、解析実行部２３と、解析処理の結果示す情報を保持する、解析結果保持部２４と、を備えている。
2019069959.tif 000002
【特許請求の範囲】
【請求項１】
複数種類のニオイに反応してセンサデータを出力する、ニオイセンサから、前記センサデータを収集して、ニオイ解析対象の解析を行う、端末装置に通信可能に接続されたサーバ装置であって、
前記センサデータを分析して特定のニオイ解析対象を解析するための解析器を複数保持する、解析器保持部と、
複数の前記解析器の中から、指定されたニオイ解析対象を解析可能な解析器を選択する、解析器選択部と、
選択された前記解析器を前記端末装置に送信する、解析器送信部と、
を備えていることを特徴とするサーバ装置。
【請求項２】
前記端末装置から、当該サーバ装置に、ニオイ解析対象を特定する解析条件情報が送信されており、
前記解析器選択部が、前記解析条件情報に基づいて、前記解析器を選択する、
請求項１に記載のサーバ装置。
【請求項３】
前記解析条件情報が、解析の際の精度を特定する精度情報と、前記ニオイセンサの周辺の環境を特定する環境情報とを更に含む、
請求項２に記載のサーバ装置。
【請求項４】
前記環境情報が、前記ニオイセンサの周辺の環境として、前記ニオイセンサの周辺の温度及び湿度のうち少なくとも一つ又は両方を特定する、
請求項３に記載のサーバ装置。
【請求項５】
前記ニオイ解析対象がユーザ由来のものである場合に、前記解析条件情報は、前記ユーザの個人情報を含む、
請求項２〜４のいずれかに記載のサーバ装置。
【請求項６】
前記端末装置において実行されるアプリケーションプログラムによって、１又は２以上のニオイ解析対象が指定され、前記端末装置から、当該サーバ装置に、指定された１又は２以上のニオイ解析対象を特定する前記解析条件情報が送信される、
請求項１〜５のいずれかに記載のサーバ装置。
【請求項７】
雰囲気中の複数種類の物質に反応してセンサデータを出力する、ニオイセンサから、前記センサデータを収集して、ニオイ解析対象の解析を行う、端末装置と、前記端末装置に通信可能に接続されたサーバ装置とを用いたニオイセンサデータ解析方法であって、
（ａ）前記端末装置によって、前記センサデータを収集する、ステップと、
（ｂ）前記サーバ装置によって、前記センサデータを分析して特定のニオイ解析対象を解析するための複数の解析器の中から、指定されたニオイ解析対象を解析可能な解析器を選択する、ステップと、
（ｃ）前記サーバ装置によって、選択された前記解析器を前記端末装置に送信する、ステップと、
（ｄ）前記端末装置によって、前記サーバ装置から送信されてきた前記解析器を取得する、ステップと、
（ｅ）前記端末装置によって、収集された前記センサデータに、取得された前記解析器を適用することによって、指定されたニオイ解析対象の解析処理を実行する、ステップ、
（ｆ）前記端末装置によって、解析処理の結果示す情報を保持する、ステップと、
を有することを特徴とするニオイセンサデータ解析方法。
【請求項８】
雰囲気中の複数種類の物質に反応してセンサデータを出力する、ニオイセンサから、前記センサデータを収集して、ニオイ解析対象の解析を行う、端末装置に通信可能に接続されたコンピュータに、
（ａ）前記センサデータを分析して特定のニオイ解析対象を解析するための解析器を複数保持する、ステップと、
（ｂ）複数の前記解析器の中から、指定されたニオイ解析対象を解析可能な解析器を選択する、ステップと、
（ｃ）選択された前記解析器を前記端末装置に送信する、ステップと、
を実行させる命令を含むプログラムを記録しているコンピュータ読み取り可能な記録媒体。
【請求項９】
前記端末装置から、当該コンピュータに、ニオイ解析対象を特定する解析条件情報が送信されており、
前記（ｂ）のステップにおいて、前記解析条件情報に基づいて、前記解析器を選択する、
請求項８に記載のコンピュータ読み取り可能な記録媒体。
【請求項１０】
前記解析条件情報が、解析の際の精度を特定する精度情報と、前記ニオイセンサの周辺の環境を特定する環境情報とを更に含む、
請求項９に記載のコンピュータ読み取り可能な記録媒体。
【請求項１１】
前記環境情報が、前記ニオイセンサの周辺の環境として、前記ニオイセンサの周辺の温度及び湿度のうち少なくとも一つ又は両方を特定する、
請求項１０に記載のコンピュータ読み取り可能な記録媒体。
【請求項１２】
前記ニオイ解析対象がユーザ由来のものである場合に、前記解析条件情報は、前記ユーザの個人情報を含む、
請求項９〜１１のいずれかに記載のコンピュータ読み取り可能な記録媒体。
【請求項１３】
前記端末装置において実行されるアプリケーションプログラムによって、１又は２以上のニオイ解析対象が指定され、前記端末装置から、当該コンピュータに、指定された１又は２以上のニオイ解析対象を特定する前記解析条件情報が送信される、
請求項８〜１２のいずれかに記載のコンピュータ読み取り可能な記録媒体。
【請求項１４】
コンピュータによって、複数種類のニオイに反応してセンサデータを出力する、ニオイセンサから、前記センサデータを収集して、ニオイ解析多意匠の解析を行うための、プログラムを記録したコンピュータ読み取り可能な記録媒体であって、
前記コンピュータに、
（ａ）前記センサデータを収集する、ステップと、
（ｂ）前記センサデータを分析して特定のニオイ解析対象を解析するための解析器を複数保持する、サーバ装置から、指定されたニオイ解析対象を解析可能な解析器が端末装置へと送信された場合に、送信されてきた前記解析器を取得する、ステップと、
（ｃ）収集された前記センサデータに、取得された前記解析器を適用することによって、指定されたニオイ解析対象の解析処理を実行する、ステップと、
（ｄ）解析処理の結果示す情報を保持する、ステップと、
を実行させる命令を含む、プログラムを記録しているコンピュータ読み取り可能な記録媒体。
【請求項１５】
前記プログラムが、前記コンピュータに、
（ｅ）１又は２以上のニオイ解析対象の指定を受け付け、指定された解析対象となる物資を特定する解析条件情報を生成する、ステップと、
（ｆ）生成された前記解析条件情報を、前記サーバ装置に送信する、ステップと、を実行させる命令を更に含む、
請求項１４に記載のコンピュータ読み取り可能な記録媒体。
【請求項１６】
前記プログラムが、前記コンピュータに、
（ｇ）前記ニオイセンサの周辺の環境を特定する環境情報を生成する、ステップを実行させる命令を更に含み、
前記（ｅ）のステップにおいて、更に、解析の際の精度の指定を受け付け、指定された解析の際の精度を更に特定する、前記解析条件情報を生成し、
前記（ｆ）のステップにおいて、前記解析条件情報に前記環境情報を付加し、前記環境情報が付加された前記解析条件情報を、前記サーバ装置に送信する、
請求項１５に記載のコンピュータ読み取り可能な記録媒体。
【請求項１７】
前記（ｇ）のステップにおいて、前記ニオイセンサの周辺の温度及び湿度のうち少なくとも一つを測定するセンサが出力したセンサデータから、前記ニオイセンサの周辺の温度及び湿度のうち少なくとも一つ又は両方を特定する、前記環境情報を生成する、
請求項１６に記載のコンピュータ読み取り可能な記録媒体。
【請求項１８】
前記（ｅ）のステップにおいて、前記ニオイ解析対象がユーザ由来のものである場合に、更に、前記ユーザの個人情報の入力を受け付け、受け付けられた前記個人情報を更に特定する、前記解析条件情報を作成する、
請求項１５〜１７のいずれかに記載のコンピュータ読み取り可能な記録媒体。
【請求項１９】
前記プログラムが、前記コンピュータに、
（ｈ）アプリケーションプログラムを実行する、ステップを実行させる命令を更に含み、
前記（ｅ）のステップにおいて、前記アプリケーションプログラムによる、１又は２以上のニオイ解析対象の指定を受け付けると、指定されたニオイ解析対象を特定する、前記解析条件情報を生成する、
請求項１５に記載のコンピュータ読み取り可能な記録媒体。
【請求項２０】
前記（ｃ）のステップにおいて、解析処理の結果から、前記ニオイ解析対象のレベルを推定し、
前記（ｄ）のステップにおいて、解析処理の結果を示す情報として、推定された前記レベルを、画面上に表示する、
請求項１４〜１９のいずれかに記載のコンピュータ読み取り可能な記録媒体。
【発明の詳細な説明】
【技術分野】
【０００１】
本発明は、雰囲気中の物質の検出が可能なニオイセンサを用いて物質検出を行うための、サーバ装置、及びニオイセンサデータ解析方法に関し、更には、これらを実現するためのプログラムを記録しているコンピュータ読み取り可能な記録媒体に関する。
【背景技術】
【０００２】
従来から、特定のニオイを検出するためにニオイセンサが用いられている（例えば、特許文献１及び２参照。）。ニオイセンサは、センサ素子によって、特定のニオイの元となる空気中の化学物質を検出することによって、特定のニオイを検出する。また、センサ素子の例としては、金属酸化物、有機半導体薄膜等が挙げられる。このようなセンサ素子では、特定の化学物質が付着すると導電性が変化することから、特定の化学物質の検知が可能となる。【０００３】
ところで、従来からのニオイセンサでは、検出できる化学物質が固定されるため、検出されるニオイも固定され、汎用性に乏しいという問題がある。これに対して、近年においては、幅広い物質を検出できる膜型表面応力センサ（ＭＳＳ：Membrane-type Surface stress Sensor）が新たに提案されている（非特許文献１参照）。【０００４】
ＭＳＳは、通常、２つ以上のＭＳＳ素子で構成されている。各ＭＳＳ素子は、感応膜が設けられた円形部分と、円形部分を囲むフレームと、円形部分をフレームに連結するための複数のブリッジとを備えている。そして、各ブリッジにはピエゾ抵抗素子が埋め込まれている。このような構成において、感応膜に物質が吸着すると、感応膜に応力が生じて円形部分が変形するため、各ブリッジに応力がかかる。この結果、ブリッジに埋め込まれたピエゾ抵抗素子の電気抵抗が大きく変化することから、抵抗値の値から吸着した物質の検出が可能となる。【０００５】
また、ＭＳＳにおいては、ＭＳＳ素子毎に、感応膜の材質が異なっているが、各ＭＳＳ素子に吸着する物質の種類は１種類に固定されているわけではない。各ＭＳＳ素子の感応膜の材質は、各ＭＳＳ素子の出力データを合成して得られるＭＳＳ全体の出力データのパターンが、物質に応じて異なるように設定されている。このため、ＭＳＳでは、予め機械学習によって、解析対象毎に、出力パターンを学習して解析器を作成することにより、多種類のニオイの検出が可能となる。【０００６】
なお、ＭＳＳ以外も含む特性の異なる複数のニオイセンサを用い、各ニオイセンサからのデータを組合せて機械学習による解析を行い、対象毎に、ニオイの解析器を生成する手法もある。
【先行技術文献】
【特許文献】
【０００７】
【特許文献１】特許第６１２１０１４号公報
【特許文献２】特許第５５８２８０３号公報
【非特許文献】
【０００８】
【非特許文献１】「嗅覚センサーの業界標準を目指す「MSSアライアンス」発足〜MSS技術実用化に向けた基礎的要素技術確立を目指して〜」，［online］，２０１５年９月２９日，日本電気株式会社，［平成27年9月1日検索］，インターネット＜URL：http://jpn.nec.com/press/201509/20150929_01.html＞
【発明の概要】
【発明が解決しようとする課題】
【０００９】
ところで、このようなニオイセンサの場合、解析対象毎に解析器が異なるため、多種類のニオイの検出を行う場合には、ニオイセンサを備えた装置において、多数の解析器を実装しておく必要がある。また、ＭＳＳには、解析対象が同一であっても、温度、湿度といった環境条件が変わると、センサデータの挙動が変化する特性がある。このため、種々の環境条件に対応するためには、環境条件毎に解析器を実装する必要もある。【００１０】
一方、ニオイセンサによるニオイ検出をユーザが手軽に行えるようにするためには、装置を持ち運び可能なサイズとしたり、更には、スマートフォンに取り付け可能なサイズとしたりする必要がある。しかしながら、装置の小型化を図ろうとすると、多数の解析器を実装することは難しくなる。このため、従来からのニオイセンサを備えた装置では、環境条件に対応しつつ、多種類のニオイを検出することは極めて困難である。【００１１】
本発明の目的の一例は、上記問題を解消し、ニオイ解析対象が固定されていないニオイセンサを用いて物質検出を行う場合において、多数の解析器を実装することなく、状況に応じた解析器の利用を可能にし得る、サーバ装置、ニオイセンサデータ解析方法、及びコンピュータ読み取り可能な記録媒体を提供することにある。
【課題を解決するための手段】
【００１２】
上記目的を達成するため、本発明の一側面におけるサーバ装置は、複数種類のニオイに反応してセンサデータを出力する、ニオイセンサから、前記センサデータを収集して、ニオイ解析対象の解析を行う、端末装置に通信可能に接続されたサーバ装置であって、
前記センサデータを分析して特定のニオイ解析対象を解析するための解析器を複数保持する、解析器保持部と、
複数の前記解析器の中から、指定されたニオイ解析対象を解析可能な解析器を選択する、解析器選択部と、
選択された前記解析器を前記端末装置に送信する、解析器送信部と、
を備えていることを特徴とする。【００１３】
上記目的を達成するため、本発明の一側面における端末装置は、複数種類のニオイに反応してセンサデータを出力する、ニオイセンサから、前記センサデータを収集して、ニオイ解析対象の解析を行う、端末装置であって、
前記センサデータを収集する、センサデータ収集部と、
前記センサデータを分析して特定のニオイ解析対象を解析するための解析器を複数保持する、サーバ装置から、指定されたニオイ解析対象を解析可能な解析器が当該端末装置へと送信された場合に、送信されてきた前記解析器を取得する、解析器取得部と、
収集された前記センサデータに、取得された前記解析器を適用することによって、指定されたニオイ解析対象の解析処理を実行する、解析実行部と、
解析処理の結果示す情報を保持する、解析結果保持部と、
を備えていることを特徴とする。【００１４】
また、上記目的を達成するため、本発明の一側面におけるニオイセンサデータ解析方法は、雰囲気中の複数種類の物質に反応してセンサデータを出力する、ニオイセンサから、前記センサデータを収集して、ニオイ解析対象の解析を行う、端末装置と、前記端末装置に通信可能に接続されたサーバ装置とを用いたニオイセンサデータ解析方法であって、
（ａ）前記端末装置によって、前記センサデータを収集する、ステップと、
（ｂ）前記サーバ装置によって、前記センサデータを分析して特定のニオイ解析対象を解析するための複数の解析器の中から、指定されたニオイ解析対象を解析可能な解析器を選択する、ステップと、
（ｃ）前記サーバ装置によって、選択された前記解析器を前記端末装置に送信する、ステップと、
（ｄ）前記端末装置によって、前記サーバ装置から送信されてきた前記解析器を取得する、ステップと、
（ｅ）前記端末装置によって、収集された前記センサデータに、取得された前記解析器を適用することによって、指定されたニオイ解析対象の解析処理を実行する、ステップ、
（ｆ）前記端末装置によって、解析処理の結果示す情報を保持する、ステップと、
を有することを特徴とする。【００１５】
更に、上記目的を達成するため、本発明の一側面における第１のコンピュータ読み取り可能な記録媒体は、雰囲気中の複数種類の物質に反応してセンサデータを出力する、ニオイセンサから、前記センサデータを収集して、ニオイ解析対象の解析を行う、端末装置に通信可能に接続されたコンピュータに、
（ａ）前記センサデータを分析して特定のニオイ解析対象を解析するための解析器を複数保持する、ステップと、
（ｂ）複数の前記解析器の中から、指定されたニオイ解析対象を解析可能な解析器を選択する、ステップと、
（ｃ）選択された前記解析器を前記端末装置に送信する、ステップと、
を実行させる命令を含む、プログラムを記録していることを特徴とする。【００１６】
更に、上記目的を達成するため、本発明の一側面における第２のコンピュータ読み取り可能な記録媒体は、コンピュータによって、複数種類のニオイに反応してセンサデータを出力する、ニオイセンサから、前記センサデータを収集して、ニオイ解析多意匠の解析を行うための、プログラムを記録したコンピュータ読み取り可能な記録媒体であって、
前記コンピュータに、
（ａ）前記センサデータを収集する、ステップと、
（ｂ）前記センサデータを分析して特定のニオイ解析対象を解析するための解析器を複数保持する、サーバ装置から、指定されたニオイ解析対象を解析可能な解析器が当該端末装置へと送信された場合に、送信されてきた前記解析器を取得する、ステップと、
（ｃ）収集された前記センサデータに、取得された前記解析器を適用することによって、指定されたニオイ解析対象の解析処理を実行する、ステップと、
（ｄ）解析処理の結果示す情報を保持する、ステップと、
を実行させる命令を含む、プログラムを記録していることを特徴とする。
【発明の効果】
【００１７】
以上のように本発明によれば、解析対象が固定されていないニオイセンサを用いて物質検出を行う場合において、多数の解析器を実装することなく、状況に応じた解析器の利用が可能となる。
【図面の簡単な説明】
【００１８】
【図１】図１は、本発明の実施の形態におけるサーバ装置及び端末装置の概略構成を示すブロック図である。
【図２】図２は、本発明の実施の形態におけるサーバ装置及び端末装置の構成をより具体的に示すブロック図である。
【図３】図３は、本発明の実施の形態における端末装置の外観を示す図である。
【図４】図４は、本発明の実施の形態においてニオイセンサが出力するセンサデータの一例を示す図である。
【図５】図５は、本発明の実施の形態において解析器の選択及び前処理の決定に用いられるテーブルの一例を示す図である。
【図６】図６（ａ）〜（ｃ）は、端末装置の画面に表示される情報の一例を示している。
【図７】図７は、本発明の実施の形態における端末装置の動作を示すフロー図である。
【図８】図８は、本発明の実施の形態におけるサーバ装置の動作を示すフロー図である。
【図９】図９は、本発明の実施の形態におけるサーバ装置及び端末装置の変形例の構成を示すブロック図である。
【図１０】図１０は、本発明の実施の形態における端末装置の変形例の外観を示す図である。
【図１１】図１１は、本発明の実施の形態における端末装置及びサーバ装置を実現するコンピュータの一例を示すブロック図である。
【発明を実施するための形態】
【００１９】
（実施の形態）
以下、本発明の実施の形態における、サーバ装置、端末装置、ニオイセンサデータ解析方法、及びプログラムについて、図１〜図１１を参照しながら説明する。
【００２０】
［装置構成］
最初に、本実施の形態におけるサーバ装置及び端末装置の概略構成について説明する。図１は、本発明の実施の形態におけるサーバ装置及び端末装置の概略構成を示すブロック図である。
【００２１】
図１に示す、サーバ装置１０及び端末装置２０は、ニオイセンサ４０を用いてニオイを検出するためのシステム３０を構成している。本実施の形態で用いられるニオイセンサ４０は、複数種類のニオイに反応してセンサデータを出力するセンサである。また、ニオイセンサ４０においては、センサデータに基づき、特定のニオイ解析対象を解析する解析器を幾つか用いることで、種々のニオイ解析対象の検出が可能となる。
【００２２】
本実施の形態において「ニオイ」には、人が嗅覚で感ずる香り又は匂いだけでなく、生物の病気、構造物の劣化等といった、解析が求められている対象の状況を反映している、生物の呼気又は排泄物から発生する気体分子、室内外の大気中に含まれる化学的組成要素（気体分子等）も含まれる。
【００２３】
また、「ニオイ解析対象」には、解析対象となるニオイそのもの、更には、ニオイの元となる疾病罹患、同じくニオイの元になる果物の熟度、同じくニオイの元となる構造物の劣化度等が含まれる。
【００２４】
図１に示すように、サーバ装置１０と端末装置２０とは互いに通信可能に接続されている。端末装置２０は、ニオイセンサ４０からセンサデータ（以降においては「ニオイセンサデータ」とも表記する。）を収集し、ニオイを解析する。サーバ装置１０は、ニオイ解析対象に対する解析処理に必要となる解析器を、端末装置２０に送信する。
【００２５】
また、図１に示すように、サーバ装置１０は、解析器保持部１１と、解析器選択部１２と、解析器送信部１３とを備えている。このうち、解析器保持部１１は、センサデータを分析して特定のニオイ解析対象を解析するための解析器を複数保持している。
【００２６】
解析器選択部１２は、複数の解析器の中から、指定されたニオイ解析対象を解析可能な解析器を選択する。また、解析器送信部１３は、解析器選択部１２によって選択された解析器を、端末装置２０に送信する。
【００２７】
また、図１に示すように、端末装置２０は、センサデータ収集部２１と、解析器取得部２２と、解析実行部２３と、解析結果保持部２４とを備えている。このうち、センサデータ収集部２１は、ニオイセンサ４０が出力するセンサデータを収集する。
【００２８】
解析器取得部２２は、センサデータを分析して特定のニオイ解析対象を解析するための解析器を複数保持する、サーバ装置１０から、指定されたニオイ解析対象を解析可能な解析器が端末装置２０へと送信された場合に、送信されてきた解析器を取得する。
【００２９】
解析実行部２３は、センサデータ収集部２１によって収集されたセンサデータに、解析器取得部２２によって取得された解析器を適用することによって、指定されたニオイ解析対象の解析処理を実行する。解析結果保持部２４は、解析実行部２３によって解析処理が実行されると、解析処理の結果を示す情報を保持する。
【００３０】
このように、本実施の形態では、ニオイセンサ４０は、サーバ装置１０と端末装置２０とを含むエッジコンピューティングで利用されている。そして、サーバ装置１０から端末装置２０へと、ニオイ解析対象の解析に適合した解析器が送られる。このため、端末装置２０は、予め多数の解析器を備えていなくても、適切な解析器を用いて、解析処理を行うことができる。つまり、本実施の形態によれば、解析対象が固定されていないニオイセンサを用いてニオイ解析を行う場合において、多数の解析器を実装することなく、状況に応じた解析器の利用が可能となる。
【００３１】
続いて、図２〜図５を用いて、本実施の形態におけるサーバ装置１０及び端末装置２０の構成をより具体的に説明する。図２は、本発明の実施の形態におけるサーバ装置及び端末装置の構成をより具体的に示すブロック図である。図３は、本発明の実施の形態における端末装置の外観を示す図である。図４は、本発明の実施の形態においてニオイセンサが出力するセンサデータの一例を示す図である。図５は、本発明の実施の形態において解析器の選択及び前処理の決定に用いられるテーブルの一例を示す図である。図６（ａ）〜（ｃ）は、端末装置の画面に表示される情報の一例を示している。
【００３２】
まず、端末装置２０について具体的に説明する。図２に示すように、本実施の形態では、端末装置２０は、センサデータ収集部２１、解析器取得部２２、解析実行部２３、及び解析結果保持部２４に加えて、プログラム実行部２５と、データ受付部２６と、環境情報生成部２７と、データ送信部２８とを更に備えている。
【００３３】
プログラム実行部２５は、端末装置２０に導入されているアプリケーションプログラムを実行する。アプリケーションプログラムとしては、ニオイセンサ４０によってセンシングされたニオイセンサデータを、端末装置２０およびサーバ装置１０によって解析された、ニオイセンサデータ解析結果に応じて処理を行うプログラムが挙げられる。具体的には、アプリケーションプログラムとしては、端末装置２０のユーザの息に含まれるアルコールを解析するプログラム、端末装置２０のユーザの体臭を解析するプログラム、果物のニオイから果物の熟度を解析するプログラム等が挙げられる。
【００３４】
また、本実施の形態では、アプリケーションプログラムが、１又は２以上のニオイ解析対象を指定する。更に、アプリケーションプログラムは、ニオイ解析対象を解析する際の精度を指定することもできる。
【００３５】
データ受付部２６は、アプリケーションプログラムによる、１又は２以上のニオイ解析対象の指定を受け付け、指定されたニオイ解析対象を特定する解析条件情報（具体的には、物質名、物質の識別子等を含む情報）を生成する。また、データ受付部２６は、更に、ニオイ解析対象を解析する際の精度が指定されているときは、それを受け付け、ニオイ解析対象と精度とを特定する解析条件情報を生成する。
【００３６】
また、データ受付部２６は、汎用的なアプリケーションプログラムインタフェース（ＡＰＩ）を備えている。データ受付部２６は、本実施の形態で説明するアプリケーションプログラム以外からの指定、例えば、ネットワークを介して他の装置から指定されたニオイの情報を受け付けることもできる。データ受付部２６が受け付けることが可能な情報は、ニオイそのものを構成する気体分子の他に、解析結果として得たいアルコール又は体臭に関する情報、生物の疾病罹患の情報、果物の熟度の情報、構造物の劣化度の情報等であっても良い。この解析対象情報に基づき、データ受付部２６は、予め登録されている解析器から適切な解析器を特定する。
【００３７】
また、ニオイ解析対象がユーザ由来のものである場合は、データ受付部２６は、更に、ユーザの個人情報の入力を受け付け、受け付けられた個人情報を更に特定する、解析条件情報を作成することもできる。この場合、サーバ装置１０においては、解析器選択部１２は、個人情報を考慮して解析器を選択することになる。
【００３８】
環境情報生成部２７は、ニオイセンサ４０の周辺の環境を特定して、環境情報を生成する。具体的には、端末装置２０は、内部に環境センサ４１を備えている。環境情報生成部２７は、環境センサ４１が出力したセンサデータから、ニオイセンサ４０の周辺の環境を特定して、環境情報を生成する。
【００３９】
データ送信部２８は、解析条件情報を、サーバ装置１０に送信する。また、データ送信部２８は、環境情報が生成されているときは、解析条件情報に環境情報を付加し、環境情報が付加された解析条件情報をサーバ装置１０に送信する。
【００４０】
環境センサ４１は、ニオイセンサ４０の周辺の温度及び湿度のうち少なくとも一つを測定する。環境センサ４１としては、例えば、温度センサ、湿度センサ、これらの組合せが挙げられる。この場合、環境情報は、ニオイセンサ４０の周辺の温度及び湿度のうち少なくともの一つ又は両方を特定する。また、上述した例では、特定される環境としては、温度と湿度とが挙げられているが、その他に、雰囲気ガスの濃度、照度、紫外線量等も挙げられる。環境センサ４１は、測定すべき内容を測定できるものであれば良い。
【００４１】
また、本実施の形態では、端末装置２０は、スマートフォンといった通信機能を備えた端末装置（以下「通信端末」と表記する。）によって構成されており、更に、内部にニオイセンサ４０及び環境センサ４１を備えている。また、図３に示すように、端末装置２０は、表示装置２９を備えている。更に、端末装置２０の筐体には、ニオイセンサ４０に測定対象となる気体を導くための窓４２と、環境センサ４１のための窓４３とが設けられている。図３において、４５は、端末装置２０の操作ボタンを示している。
【００４２】
また、本実施の形態において、ニオイセンサ４０としては、例えば、上述したＭＳＳが用いられる。この場合、ニオイセンサ４０が出力したセンサデータは、図４に示す通りとなる。図４の例では、ＭＳＳを構成するＭＳＳ素子の一つによって出力されたセンサデータが示されている。また、ニオイセンサ４０は、設定されたサンプリングレートでセンサデータを出力する。なお、図４に示されている、ｉ０、ｉ１、ｉ２、・・・は、出添字であり、これについては後述する。また、添字において「ｉ」は特定のＭＳＳ素子から出力されていることを示している。異なるＭＳＳ素子から出力された場合は、「ｉ」以外のアルファベットが割り当てられる。
【００４３】
続いて、サーバ装置１０について具体的に説明する。まず、本実施の形態において、解析器保持部１１によって保持されている各解析器は、予め機械学習によって作成された解析モデルである。解析モデルの作成は、例えば、学習データとして、テスト用のニオイと反応した時にニオイセンサ４０が出力したセンサデータを用い、教師データとしてテスト用のニオイを特定するデータを用いて、サポートベクトルマシンによって、センサデータの特徴を機械学習することによって行われる。
【００４４】
また、本実施の形態では、機械学習は、例えば、センサデータのスパース性を利用して行われている。つまり、解析対象となるニオイとセンサ素子との化学的な挙動、ニオイセンサ４０の物理的な特性は、センサデータ中の特定の部分に集約されて現れている。図４の例では、このような挙動及び特性は、センサデータの立ち上がり部分、波形の上部の平坦な部分等に現れている。従って、センサデータの特定の部分のみを用いた機械学習であっても、適切な解析モデルを構築できる。更に、機械学習に用いるデータのデータ点数によって、解析精度を決定することもできる。
【００４５】
このため、本実施の形態では、学習データとなるセンサデータの有効な部分のみを抽出して機械学習が行われても良い。例えば特徴量選択（feature selection）という技術を用いることにより、学習データとなるセンサデータから、学習および解析にとって有効な部分を特定し抽出することができる。また、このときに抽出される部分は、図４に示す添字によって特定され、特定された添字は、後述の端末装置２０における前処理において利用される。
【００４６】
解析器選択部１２は、本実施の形態では、端末装置２０から送信されてくる解析条件情報を取得する。解析器選択部１２は、取得した解析条件情報に基づいて、ニオイ解析対象を解析可能な解析器を選択する。具体的には、解析条件情報には、ニオイ解析対象の名称、解析の際の精度、ニオイセンサ４０の周辺の環境が含まれているので、解析器選択部１２は、これらの内容が考慮された最適な解析器を選択する。
【００４７】
また、解析器選択部１２は、本実施の形態では、解析器を選択すると、選択した解析器に応じて、センサデータから抽出すべき特徴量を特定する。特定される特徴量は、その解析器の機械学習の際に利用されたセンサデータの有効な部分に該当する。そして、解析器選択部１２は、特定した特徴量を抽出する処理を、前処理として決定し、端末装置２０に、決定した前処理を実行するためのプログラムモジュール（以下「特徴量抽出モジュール」と表記する）を選択する。この場合、解析器送信部１３は、解析器に加えて、特徴量抽出モジュールも端末装置２０に送信する。
【００４８】
具体的には、解析器選択部１２は、図５に示したテーブルを用いて、解析器の選択と、対応する前処理（特徴量抽出モジュール）の決定とを行っている。図５の例では、テーブルにおいて、各行には、解析器毎に、対応する特徴量抽出モジュールと、解析対象情報と、検出精度と、対応温度と、添字リストとが登録されている。解析対象情報は、解析結果として得たい情報であり、具体的には、解析対象となるニオイそのものを構成する気体分子、呼気中のアルコール濃度、果実の熟度、特定の疾病罹患等が挙げられる。また、このテーブルにおいて、各行にある添字リストは、対応する解析器の学習に用いられたセンサデータを示すと共に、同じ行にある特徴量抽出モジュールによって抽出される特徴量を示している。
【００４９】
ここで、端末装置２０における解析実行部２３及び解析結果保持部２４の機能についてより具体的に説明する。例えば、図５の例において、サーバ装置１０が、解析器１を選択し、解析器１と特徴量抽出モジュール１とを、端末装置２０に送信したとする。この場合、端末装置２０では、解析実行部２３は、まず、センサデータ収集部２１が収集したセンサデータに対して、特徴量抽出モジュール１を実行し、前処理として、センサデータから、添字リストにあるｉ０、．．．ｉ９９に該当するデータを特徴量として抽出する。
【００５０】
このように、本実施の形態では、前処理によってセンサデータの間引きが行われるため、端末装置２０における負担が軽減される。また、センサデータの間引きはニオイ解析対象に対応する解析器に合わせて行われるので、ニオイの解析が可能となる。
【００５１】
また、解析実行部２３は、前処理が行われたセンサデータ、即ち、抽出された特徴量に、解析器を適用して、解析処理を実行する。具体的には、解析実行部２３は、解析器を用いて、ニオイ解析対象を解析する。
【００５２】
更に、解析実行部２３は、解析処理の結果から、解析されたニオイ解析対象のレベルを推定することもできる。具体的には、解析実行部２３は、ニオイ解析対象の濃度に応じて、段階的なニオイのレベルを推定する。また、この場合、解析実行部２３は、解析処理の結果を示す情報として、推定されたニオイのレベルを示す情報を解析結果保持部２４に渡す。
【００５３】
これにより、端末装置２０において、解析結果保持部２４は、推定されたニオイのレベルを表示装置２９の画面上に表示することができる。また、本実施の形態において、解析結果保持部２４は、図６（ａ）〜（ｃ）に示すように、表示装置２９の画面上に、ユーザによる操作を支援する情報を表示することができる。
【００５４】
［装置動作］
次に、本実施の形態におけるサーバ装置１０及び端末装置２０の動作について図７及び図８を用いて説明する。また、以下の説明においては、適宜図１〜図６を参照する。更に、本実施の形態では、サーバ装置１０及び端末装置２０を動作させることによって、ニオイセンサデータ解析方法が実施される。よって、本実施の形態におけるニオイセンサデータ解析方法の説明は、以下のサーバ装置１０及び端末装置２０の動作説明に代える。
【００５５】
まず、図７を用いて端末装置２０の動作を具体的に説明する。図７は、本発明の実施の形態における端末装置の動作を示すフロー図である。
【００５６】
最初に、図７に示すように、端末装置２０において、プログラム実行部２５は、アプリケーションプログラムを実行する（ステップＡ１）。
【００５７】
次に、アプリケーションプログラムが、１又は２以上のニオイ解析対象及び解析する際の精度を指定すると、データ受付部２６は、指定を受け付け、解析条件情報を生成する（ステップＡ２）。
【００５８】
次に、環境情報生成部２７は、環境センサ４１が出力したセンサデータから、ニオイセンサ４０の周辺の環境を特定して、環境情報を生成する（ステップＡ３）。
【００５９】
次に、データ送信部２８は、ステップＡ２で生成された解析条件情報に、ステップＡ３で生成された環境情報を付加し、環境情報が付加された解析条件情報を、サーバ装置１０に送信する（ステップＡ４）。
【００６０】
ステップＡ４が実行されると、サーバ装置１０においては、後述する図８に示すステップＢ１〜Ｂ４が実行される。これにより、端末装置２０において、解析器取得部２２は、サーバ装置１０から、解析器を受信し、これを取得する（ステップＡ５）。また、ステップＡ５では、解析器取得部２２は、更に、サーバ装置１０から送信されてくる特徴量抽出モジュールも受信し、これも取得する。
【００６１】
次に、センサデータ収集部２１は、ニオイセンサ４０が出力するセンサデータを収集する（ステップＡ６）。
【００６２】
次に、解析実行部２３は、ステップＡ６で収集されたセンサデータに対して、特徴量抽出モジュールを用いて前処理を実行し、そして、前処理後のセンサデータに、ステップＡ６で選択した解析器を適用して、指定されたニオイ解析対象に対して、解析処理を実行する（ステップＡ７）。また、解析実行部２３は、解析処理の結果を示す情報を、解析結果保持部に渡す。
【００６３】
次に、解析結果保持部２４は、ステップＡ７による解析処理の結果を示す情報を受け取り、受け取った情報を、表示装置２９の画面上に表示する（ステップＡ８）。
【００６４】
続いて、図８を用いてサーバ装置１０の動作を具体的に説明する。図８は、本発明の実施の形態におけるサーバ装置の動作を示すフロー図である。
【００６５】
図７に示すステップＡ１〜Ａ４が実行されると、図８に示すように、サーバ装置１０は、ステップＡ４で送信された解析条件情報を受信する（ステップＢ１）。
【００６６】
次に、解析器選択部１２は、解析条件情報に基づいて、解析器保持部１１に保持されている解析器の中から、指定されたニオイ解析対象を解析可能な解析器を選択する（ステップＢ２）。
【００６７】
次に、解析器選択部１２は、ステップＢ２で選択した解析器に対応する特徴量抽出モジュールを決定する（ステップＢ３）。その後、解析器送信部１３は、ステップＢ２で選択した解析器と、ステップＢ３で決定した特徴量抽出モジュールとを端末装置２０に送信する（ステップＢ４）。ステップＢ４の実行後、端末装置２０において、ステップＡ５〜Ａ８が実行される。
【００６８】
具体的には、ステップＢ２〜Ｂ４では、解析器選択部１２は、まず、図５に示したテーブルから、指定されたニオイ解析対象を解析対象情報に照合して、適合する行を選択する。次に、解析器選択部１２は、選択した行の中から、対応温度が環境情報によって特定される温度に適合し、且つ、検出精度が指定された精度に適合する行を特定する。更に、解析器選択部１２は、特定した行の中から、添字リストのサイズが最も小さい行を特定する。そして、解析器選択部１２は、この最後に特定した行に対応する解析器と特徴量抽出モジュールとを選択し、選択した解析器と特徴量抽出モジュールとを端末装置２０に送信する。
【００６９】
［実施の形態における効果］
以上のように、本実施の形態によれば、サーバ装置１０において、環境を考慮した適切な解析器と特徴量抽出モジュールとが選択され、選択された解析器と特徴量抽出モジュールとが端末装置２０に実装されて、ニオイ解析対象の解析が行われる。このため、端末装置２０は、予め多数の解析器を実装する必要はない。本実施の形態によれば、解析対象が固定されていないニオイセンサを用いてニオイの解析を行う場合において、多数の解析器を実装することなく、状況に応じた解析器の利用が可能となる。
【００７０】
［変形例］
図１及び図２に示した例では、端末装置２０は、通信端末によって構成され、内部にニオイセンサ４０及び環境センサ４１を備えているが、本実施の形態において、端末装置２０は、この構成に限定されるものではない。ここで、図９及び図１０を用いて、本実施の形態における端末装置２０の変形例について説明する。図９は、本発明の実施の形態におけるサーバ装置及び端末装置の変形例の構成を示すブロック図である。図１０は、本発明の実施の形態における端末装置の変形例の外観を示す図である。
【００７１】
図９に示すように、本変形例では、ニオイセンサ４０及び環境センサ４１は、端末装置２０の外部に設けられている。具体的には、ニオイセンサ４０と環境センサ４１とは一つの筐体に収められ、センサユニット４４を構成している。また、図１０に示すように、センサユニット４４は、通信端末である端末装置２０の外部接続用インターフェイスを介して、端末装置２０に接続される。
【００７２】
本変形例によれば、汎用の通信端末２０に、センサユニット４４を接続することによって、雰囲気中の物質の検出を実行できる。また、センサユニット４４は、本変形例では端末装置２０に直接接続されているが、両者の接続は通信可能に行われていれば良く、無線又は有線によって行われていても良い。
【００７３】
［適用例１］
本実施の形態は、例えば、生鮮食料品を販売する小売店において、生鮮食料品の鮮度を推定する場合に適用できる。この例では、ニオイ解析対象としては、生鮮食料品のニオイが挙げられる。
【００７４】
具体的には、店員が、端末装置２０において、生鮮食料品の鮮度を推定するためのアプリケーションプログラムを起動し、アプリケーションプログラム上で、推定対象となる生鮮食料品を選択したとする。この場合、アプリケーションプログラムは、選択された生鮮食料品と解析時の精度とを指定する。これにより、データ受付部２６は、これらの指定を受け付け、受け付けた生鮮食料品と精度とを特定する解析条件情報を生成する。
【００７５】
また、端末装置２０において、環境情報生成部２７は、環境センサ４１からのセンサデータに基づいて環境情報を生成する。その後、データ送信部２８は、解析条件情報に環境情報を付加し、環境情報が付加された解析条件情報をサーバ装置１０に送信する。そして、サーバ装置１０は、最適な解析器と特徴量抽出モジュールとを選択して、これらを端末装置２０に送信する。
【００７６】
端末装置２０において、解析実行部２３は、送信されてきた特徴量抽出モジュールを用いて前処理を実行し、更に、送信されてきた解析器を用いて、選択された生鮮食料品のニオイを解析する。そして、解析実行部２３は、解析処理の結果に基づいて、生鮮食料品の劣化を推定する。具体的には、解析実行部２３は、予め設定されている段階評価、例えば、「未熟」、「適熟」、「過熟ぎみ」、「だめ」のいずれに該当するかを推定する。
【００７７】
解析結果保持部２４は、推定された段階評価を表示装置２９の画面上に表示することができる。また、解析結果保持部は、段階評価に加えて、ユーザに対するメッセージも同時に画面上に表示することができる。具体的には、解析結果保持部２４は、メッセージとして、例えば、段階評価が「未熟」の場合は「まだ値下げ不要」と表示し、「適熟」の場合は「食べごろサインをつける」と表示し、「過熟ぎみ」の場合は「値引きせよ」と表示し、「だめ」の場合は「処分」と表示する。
【００７８】
また、サーバ装置１０から段階評価に応じた具体的な価格を示す情報が送信されてくる場合、端末装置２０内に段階評価に応じて価格を設定する機能が備えられている場合は、解析結果保持部は、段階評価に対応した価格を画面上に表示することもできる。更に、端末装置２０は、値札ラベルの印字及び添付を行う機能を備えている場合は、画面に価格が表示されると、その価格の値札ラベルの印字及び添付を実行する。
【００７９】
また、端末装置２０が、小売店に訪れた購入者が使用する場合は、解析結果保持部２４は、段階評価に加えて、段階評価に応じた値引き額を画面上に表示することもできる。なお、この場合は、端末装置２０は、購入者が小売店に訪れた時点で、小売店のサーバ装置等から段階評価に応じた値引き額のデータを受信しているとする。このような態様とした場合は、小売店の店員は、値札ラベルを一定期間毎に貼り替える必要がなく、店員における労力が軽減される。
【００８０】
［適用例２］
また、本実施の形態は、例えば、ユーザの健康管理に適用することができる。この例では、ニオイ解析対象としては、人の呼気が挙げられる。
【００８１】
具体的には、ユーザは、端末装置２０において、呼気から健康状態を推定するアプリケーションプログラムを起動し、自身の情報を入力したとする。ユーザが入力する情報としては、以下のものが挙げられる。
属性データ：生年月日、居住エリア、性別、仕事、身長体重等
生活習慣データ：便通、生理周期、食事内容、飲酒習慣等
目標：目標体重（ダイエット目的の場合）、改善後の数値
【００８２】
この場合、データ受付部１１は、ニオイ解析対象である呼気及び精度に加えて、入力された情報も受け付け、これらを特定する解析条件情報を生成する。そして、データ送信部２８が、解析条件情報をサーバ装置１０に送信すると、本適用例２では、サーバ装置１０は、ユーザが入力した情報も用いて、最適な解析器と特徴量抽出モジュールとを選択して、これらを端末装置２０に送信する。
【００８３】
端末装置２０において、解析実行部２３は、送信されてきた特徴量抽出モジュールを用いて前処理を実行し、更に、送信されてきた解析器を用いて、ユーザの呼気を解析する。そして、解析実行部２３は、解析処理の結果に基づいて、ユーザの健康状態を段階評価によって推定する。
【００８４】
また、アプリケーションプログラムが、ユーザのダイエットを目的とする場合は、解析実行部２３は、ダイエットの進捗度合いを推定しても良いし、実際に行われているダイエット（食事制限、ある種の薬の摂取等）による効果の程度等を推定しても良い。
【００８５】
また、サーバ装置１０又はこれとは別のサーバ装置によって、解析実行部２３による推定結果が、推定日時と共に記録されていても良い。この場合、サーバ装置は、ユーザの推定結果の履歴に基づいて、ユーザの健康状態がどのように変更しているか推定し、推定結果を端末装置２０の画面上に表示させることができる。例えば、健康状態が良い方向に推移している場合は、そのことを画面上に表示させることで、ユーザのモチベーションアップが図られる。また、サーバ装置は、健康状態が悪い方向に推移している場合は、そのことも画面上に表示させて、ユーザに対してアラートを出すこともできる。
【００８６】
また、サーバ装置は、蓄積している推定結果の履歴から、最終的なユーザの目標が達成されているかどうか、達成までにあとどれくらいの時間がかかるのか、達成までにかかった時間がどれくらいであったのか、といった判定も行うこともできる。更に、サーバ装置は、各ユーザの目標の達成度合いとそれまでの経緯とを機械学習することによって、別のユーザにおける目標の達成にかかる期間、目標を達成する確率、目標達成に必要な行動等を提示することもできる。
【００８７】
［プログラム１］
本実施の形態における第１のプログラムは、コンピュータに、図７に示すステップＡ１〜Ａ８を実行させるプログラムであれば良い。このプログラムをコンピュータにインストールし、実行することによって、本実施の形態における端末装置２０を実現することができる。この場合、コンピュータのプロセッサは、センサデータ収集部２１、解析器取得部２２、解析実行部２３、解析結果保持部２４、プログラム実行部２５、データ受付部２６、環境情報生成部２７、及びデータ送信部２８として機能し、処理を行なう。また、コンピュータとしては、通信端末に搭載されたコンピュータ、汎用のコンピュータが挙げられる。
【００８８】
また、本実施の形態における第１のプログラムは、複数のコンピュータによって構築されたコンピュータシステムによって実行されても良い。この場合は、例えば、各コンピュータが、それぞれ、センサデータ収集部２１、解析器取得部２２、解析実行部２３、解析結果保持部２４、プログラム実行部２５、データ受付部２６、環境情報生成部２７、及びデータ送信部２８のいずれかとして機能しても良い。
【００８９】
［プログラム２］
本実施の形態における第２のプログラムは、コンピュータに、図８に示すステップＢ１〜Ｂ４を実行させるプログラムであれば良い。このプログラムをコンピュータにインストールし、実行することによって、本実施の形態におけるサーバ装置１０を実現することができる。この場合、コンピュータのプロセッサは、解析器保持部１１、解析器選択部１２、及び解析器送信部１３として機能し、処理を行なう。また、コンピュータとしては、汎用のコンピュータ、サーバコンピュータが挙げられる。
【００９０】
また、本実施の形態における第２のプログラムも、複数のコンピュータによって構築されたコンピュータシステムによって実行されても良い。この場合は、例えば、各コンピュータが、それぞれ、解析器保持部１１、解析器選択部１２、及び解析器送信部１３のいずれかとして機能しても良い。
【００９１】
［物理構成］
ここで、本実施の形態における第１のプログラム又は第２のプログラムを実行可能なコンピュータの一例について図１１を用いて説明する。図１１は、本発明の実施の形態における端末装置及びサーバ装置を実現するコンピュータの一例を示すブロック図である。
【００９２】
図１１に示すように、コンピュータ１１０は、ＣＰＵ（Central Processing Unit）１１１と、メインメモリ１１２と、記憶装置１１３と、入力インターフェイス１１４と、表示コントローラ１１５と、データリーダ／ライタ１１６と、通信インターフェイス１１７とを備える。これらの各部は、バス１２１を介して、互いにデータ通信可能に接続される。
【００９３】
ＣＰＵ１１１は、記憶装置１１３に格納された、本実施の形態におけるプログラム（コード）をメインメモリ１１２に展開し、これらを所定順序で実行することにより、各種の演算を実施する。メインメモリ１１２は、典型的には、ＤＲＡＭ（Dynamic Random Access Memory）等の揮発性の記憶装置である。また、本実施の形態におけるプログラムは、コンピュータ読み取り可能な記録媒体１２０に格納された状態で提供される。なお、本実施の形態におけるプログラムは、通信インターフェイス１１７を介して接続されたインターネット上で流通するものであっても良い。なお、コンピュータ１１０は、ＣＰＵ１１１に加えて、又はＣＰＵ１１１に代えて、ＧＰＵ（Graphics Processing Unit）、又はＦＰＧＡ（Field-Programmable Gate Array）を備えていても良い。
【００９４】
また、記憶装置１１３の具体例としては、ハードディスクドライブの他、フラッシュメモリ等の半導体記憶装置が挙げられる。入力インターフェイス１１４は、ＣＰＵ１１１と、キーボード及びマウスといった入力機器１１８との間のデータ伝送を仲介する。表示コントローラ１１５は、ディスプレイ装置１１９と接続され、ディスプレイ装置１１９での表示を制御する。
【００９５】
データリーダ／ライタ１１６は、ＣＰＵ１１１と記録媒体１２０との間のデータ伝送を仲介し、記録媒体１２０からのプログラムの読み出し、及びコンピュータ１１０における処理結果の記録媒体１２０への書き込みを実行する。通信インターフェイス１１７は、ＣＰＵ１１１と、他のコンピュータとの間のデータ伝送を仲介する。
【００９６】
また、記録媒体１２０の具体例としては、ＣＦ（Compact Flash（登録商標））及びＳＤ（Secure Digital）等の汎用的な半導体記憶デバイス、フレキシブルディスク（Flexible Disk）等の磁気記録媒体、又はＣＤ−ＲＯＭ（Compact Disk Read Only Memory）などの光学記録媒体が挙げられる。
【００９７】
なお、本実施の形態におけるサーバ装置１０及び端末装置２０は、それぞれ、プログラムがインストールされたコンピュータではなく、各部に対応したハードウェアを用いることによっても実現可能である。更に、サーバ装置１０及び端末装置２０は、それぞれ、一部がプログラムで実現され、残りの部分がハードウェアで実現されていてもよい。
【００９８】
上述した実施の形態の一部又は全部は、以下に記載する（付記１）〜（付記２７）によって表現することができるが、以下の記載に限定されるものではない。
【００９９】
（付記１）
複数種類のニオイに反応してセンサデータを出力する、ニオイセンサから、前記センサデータを収集して、ニオイ解析対象の解析を行う、端末装置に通信可能に接続されたサーバ装置であって、
前記センサデータを分析して特定のニオイ解析対象を解析するための解析器を複数保持する、解析器保持部と、
複数の前記解析器の中から、指定されたニオイ解析対象を解析可能な解析器を選択する、解析器選択部と、
選択された前記解析器を前記端末装置に送信する、解析器送信部と、
を備えていることを特徴とするサーバ装置。
【０１００】
（付記２）
前記端末装置から、当該サーバ装置に、ニオイ解析対象を特定する解析条件情報が送信されており、
前記解析器選択部が、前記解析条件情報に基づいて、前記解析器を選択する、
付記１に記載のサーバ装置。
【０１０１】
（付記３）
前記解析条件情報が、解析の際の精度を特定する精度情報と、前記ニオイセンサの周辺の環境を特定する環境情報とを更に含む、
付記２に記載のサーバ装置。
【０１０２】
（付記４）
前記環境情報が、前記ニオイセンサの周辺の環境として、前記ニオイセンサの周辺の温度及び湿度のうち少なくとも一つ又は両方を特定する、
付記３に記載のサーバ装置。
【０１０３】
（付記５）
前記ニオイ解析対象がユーザ由来のものである場合に、前記解析条件情報は、前記ユーザの個人情報を含む、
付記２〜４のいずれかに記載のサーバ装置。
【０１０４】
（付記６）
前記端末装置において実行されるアプリケーションプログラムによって、１又は２以上のニオイ解析対象が指定され、前記端末装置から、当該サーバ装置に、指定された１又は２以上のニオイ解析対象を特定する前記解析条件情報が送信される、
付記１〜５のいずれかに記載のサーバ装置。
【０１０５】
（付記７）
複数種類のニオイに反応してセンサデータを出力する、ニオイセンサから、前記センサデータを収集して、ニオイ解析対象の解析を行う、端末装置であって、
前記センサデータを収集する、センサデータ収集部と、
前記センサデータを分析して特定のニオイ解析対象を解析するための解析器を複数保持する、サーバ装置から、指定されたニオイ解析対象を解析可能な解析器が当該端末装置へと送信された場合に、送信されてきた前記解析器を取得する、解析器取得部と、
収集された前記センサデータに、取得された前記解析器を適用することによって、指定されたニオイ解析対象の解析処理を実行する、解析実行部と、
解析処理の結果示す情報を保持する、解析結果保持部と、
を備えていることを特徴とする端末装置。
【０１０６】
（付記８）
１又は２以上のニオイ解析対象の指定を受け付け、指定された解析対象となる物資を特定する解析条件情報を生成する、データ受付部と、
生成された前記解析条件情報を、前記サーバ装置に送信する、データ送信部と、
を更に備えている、
付記７に記載の端末装置。
【０１０７】
（付記９）
前記ニオイセンサの周辺の環境を特定する環境情報を生成する、環境情報生成部を、更に備え、
前記データ受付部が、更に、解析の際の精度の指定を受け付け、指定された解析の際の精度を更に特定する、前記解析条件情報を生成し、
前記データ送信部は、前記解析条件情報に前記環境情報を付加し、前記環境情報が付加された前記解析条件情報を、前記サーバ装置に送信する、
付記８に記載の端末装置。
【０１０８】
（付記１０）
前記環境情報生成部が、前記ニオイセンサの周辺の温度及び湿度のうち少なくとも一つを測定するセンサが出力したセンサデータから、前記ニオイセンサの周辺の温度及び湿度のうち少なくとも一つ又は両方を特定する、前記環境情報を生成する、
付記９に記載の端末装置。
【０１０９】
（付記１１）
前記ニオイ解析対象がユーザ由来のものである場合に、前記データ受付部が、更に、前記ユーザの個人情報の入力を受け付け、受け付けられた前記個人情報を更に特定する、前記解析条件情報を作成する、
付記８〜１０のいずれかに記載の端末装置。
【０１１０】
（付記１２）
アプリケーションプログラムを実行するプログラム実行部を更に備え、
前記データ受付部は、前記アプリケーションプログラムによる、１又は２以上のニオイ解析対象の指定を受け付けると、指定されたニオイ解析対象を特定する、前記解析条件情報を生成する、
付記８に記載の端末装置。
【０１１１】
（付記１３）
前記解析実行部が、解析処理の結果から、前記ニオイ解析対象のレベルを推定し、
前記解析結果保持部が、解析処理の結果を示す情報として、推定された前記レベルを、画面上に表示する、
付記７〜１２のいずれかに記載の端末装置。
【０１１２】
（付記１４）
雰囲気中の複数種類の物質に反応してセンサデータを出力する、ニオイセンサから、前記センサデータを収集して、ニオイ解析対象の解析を行う、端末装置と、前記端末装置に通信可能に接続されたサーバ装置とを用いたニオイセンサデータ解析方法であって、
（ａ）前記端末装置によって、前記センサデータを収集する、ステップと、
（ｂ）前記サーバ装置によって、前記センサデータを分析して特定のニオイ解析対象を解析するための複数の解析器の中から、指定されたニオイ解析対象を解析可能な解析器を選択する、ステップと、
（ｃ）前記サーバ装置によって、選択された前記解析器を前記端末装置に送信する、ステップと、
（ｄ）前記端末装置によって、前記サーバ装置から送信されてきた前記解析器を取得する、ステップと、
（ｅ）前記端末装置によって、収集された前記センサデータに、取得された前記解析器を適用することによって、指定されたニオイ解析対象の解析処理を実行する、ステップ、
（ｆ）前記端末装置によって、解析処理の結果示す情報を保持する、ステップと、
を有することを特徴とするニオイセンサデータ解析方法。
【０１１３】
（付記１５）
雰囲気中の複数種類の物質に反応してセンサデータを出力する、ニオイセンサから、前記センサデータを収集して、ニオイ解析対象の解析を行う、端末装置に通信可能に接続されたコンピュータに、
（ａ）前記センサデータを分析して特定のニオイ解析対象を解析するための解析器を複数保持する、ステップと、
（ｂ）複数の前記解析器の中から、指定されたニオイ解析対象を解析可能な解析器を選択する、ステップと、
（ｃ）選択された前記解析器を前記端末装置に送信する、ステップと、
を実行させる命令を含む、プログラムを記録しているコンピュータ読み取り可能な記録媒体。
【０１１４】
（付記１６）
前記端末装置から、当該サーバ装置に、ニオイ解析対象を特定する解析条件情報が送信されており、
前記（ｂ）のステップにおいて、前記解析条件情報に基づいて、前記解析器を選択する、
付記１５に記載のコンピュータ読み取り可能な記録媒体。
【０１１５】
（付記１７）
前記解析条件情報が、解析の際の精度を特定する精度情報と、前記ニオイセンサの周辺の環境を特定する環境情報とを更に含む、
付記１６に記載のコンピュータ読み取り可能な記録媒体。
【０１１６】
（付記１８）
前記環境情報が、前記ニオイセンサの周辺の環境として、前記ニオイセンサの周辺の温度及び湿度のうち少なくとも一つ又は両方を特定する、
付記１７に記載のコンピュータ読み取り可能な記録媒体。
【０１１７】
（付記１９）
前記ニオイ解析対象がユーザ由来のものである場合に、前記解析条件情報は、前記ユーザの個人情報を含む、
付記１６〜１８のいずれかに記載のコンピュータ読み取り可能な記録媒体。
【０１１８】
（付記２０）
前記端末装置において実行されるアプリケーションプログラムによって、１又は２以上のニオイ解析対象が指定され、前記端末装置から、当該サーバ装置に、指定された１又は２以上のニオイ解析対象を特定する前記解析条件情報が送信される、
付記１５〜１９のいずれかに記載のコンピュータ読み取り可能な記録媒体。
【０１１９】
（付記２１）
コンピュータによって、複数種類のニオイに反応してセンサデータを出力する、ニオイセンサから、前記センサデータを収集して、ニオイ解析多意匠の解析を行うための、プログラムを記録したコンピュータ読み取り可能な記録媒体であって、
前記コンピュータに、
（ａ）前記センサデータを収集する、ステップと、
（ｂ）前記センサデータを分析して特定のニオイ解析対象を解析するための解析器を複数保持する、サーバ装置から、指定されたニオイ解析対象を解析可能な解析器が当該端末装置へと送信された場合に、送信されてきた前記解析器を取得する、ステップと、
（ｃ）収集された前記センサデータに、取得された前記解析器を適用することによって、指定されたニオイ解析対象の解析処理を実行する、ステップと、
（ｄ）解析処理の結果示す情報を保持する、ステップと、
を実行させる命令を含む、プログラムを記録しているコンピュータ読み取り可能な記録媒体。
【０１２０】
（付記２２）
前記プログラムが、前記コンピュータに、
（ｅ）１又は２以上のニオイ解析対象の指定を受け付け、指定された解析対象となる物資を特定する解析条件情報を生成する、ステップと、
（ｆ）生成された前記解析条件情報を、前記サーバ装置に送信する、ステップと、
を実行させる命令を更に含む、
付記２１に記載のコンピュータ読み取り可能な記録媒体。
【０１２１】
（付記２３）
前記プログラムが、前記コンピュータに、
（ｇ）前記ニオイセンサの周辺の環境を特定する環境情報を生成する、ステップを実行させる命令を更に含み、
前記（ｅ）のステップにおいて、更に、解析の際の精度の指定を受け付け、指定された解析の際の精度を更に特定する、前記解析条件情報を生成し、
前記（ｆ）のステップにおいて、前記解析条件情報に前記環境情報を付加し、前記環境情報が付加された前記解析条件情報を、前記サーバ装置に送信する、
付記２２に記載のコンピュータ読み取り可能な記録媒体。
【０１２２】
（付記２４）
前記（ｇ）のステップにおいて、前記ニオイセンサの周辺の温度及び湿度のうち少なくとも一つを測定するセンサが出力したセンサデータから、前記ニオイセンサの周辺の温度及び湿度のうち少なくとも一つ又は両方を特定する、前記環境情報を生成する、
付記２３に記載のコンピュータ読み取り可能な記録媒体。
【０１２３】
（付記２５）
前記（ｅ）のステップにおいて、  前記ニオイ解析対象がユーザ由来のものである場合に、更に、前記ユーザの個人情報の入力を受け付け、受け付けられた前記個人情報を更に特定する、前記解析条件情報を作成する、
付記２２〜２４のいずれかに記載のコンピュータ読み取り可能な記録媒体。
【０１２４】
（付記２６）
前記プログラムが、前記コンピュータに、
（ｈ）アプリケーションプログラムを実行する、ステップを実行させる命令を更に含み、
前記（ｅ）のステップにおいて、前記アプリケーションプログラムによる、１又は２以上のニオイ解析対象の指定を受け付けると、指定されたニオイ解析対象を特定する、前記解析条件情報を生成する、
付記２２に記載のコンピュータ読み取り可能な記録媒体。
【０１２５】
（付記２７）
前記（ｃ）のステップにおいて、解析処理の結果から、前記ニオイ解析対象のレベルを推定し、
前記（ｄ）のステップにおいて、解析処理の結果を示す情報として、推定された前記レベルを、画面上に表示する、
付記２１〜２６のいずれかに記載のコンピュータ読み取り可能な記録媒体。
【０１２６】
以上、実施の形態を参照して本願発明を説明したが、本願発明は上記実施の形態に限定されるものではない。本願発明の構成や詳細には、本願発明のスコープ内で当業者が理解し得る様々な変更をすることができる。
【０１２７】
この出願は、２０１７年１０月３日に出願された日本出願特願２０１７−１９３９０２を基礎とする優先権を主張し、その開示の全てをここに取り込む。
【産業上の利用可能性】
【０１２８】
以上のように本発明によれば、解析対象が固定されていないニオイセンサを用いて物質検出を行う場合において、多数の解析器を実装することなく、状況に応じた解析器の利用が可能となる。本発明は、ニオイセンサが利用される種々の分野において有用である。
【符号の説明】
【０１２９】
１０  サーバ装置
１１  解析器保持部
１２  解析器選択部
１３  解析器送信部
２０  端末装置
２１  センサデータ収集部
２２  解析器取得部
２３  解析実行部
２４  解析結果保持部
２５  プログラム実行部
２６  データ受付部
２７  環境情報生成部
２８  データ送信部
２９  表示装置
３０  システム
４０  ニオイセンサ
４１  環境センサ
４２  窓
４３  窓
４４  センサユニット
４５  操作ボタン
１１０  コンピュータ
１１１  ＣＰＵ
１１２  メインメモリ
１１３  記憶装置
１１４  入力インターフェイス
１１５  表示コントローラ
１１６  データリーダ／ライタ
１１７  通信インターフェイス
１１８  入力機器
１１９  ディスプレイ装置
１２０  記録媒体
１２１  バス
【図１】
2019069959.tif 000003
【図２】
2019069959.tif 000004
【図３】
2019069959.tif 000005
【図４】
2019069959.tif 000006
【図５】
2019069959.tif 000007
【図６】
2019069959.tif 000008
【図７】
2019069959.tif 000009
【図８】
2019069959.tif 000010
【図９】
2019069959.tif 000011
【図１０】
2019069959.tif 000012
【図１１】
2019069959.tif 000013
【手続補正書】
【提出日】令和2年3月26日(2020.3.26)
【手続補正１】
【補正対象書類名】特許請求の範囲
【補正対象項目名】全文
【補正方法】変更
【補正の内容】
【特許請求の範囲】
【請求項１】
複数種類のニオイに反応してセンサデータを出力する、ニオイセンサから、前記センサデータを収集して、ニオイ解析対象の解析を行う、端末装置に通信可能に接続されたサーバ装置であって、
前記センサデータを分析して特定のニオイ解析対象を解析するための解析器を複数保持する、解析器保持部と、
複数の前記解析器の中から、指定されたニオイ解析対象を解析可能な解析器を選択する、解析器選択部と、
選択された前記解析器を前記端末装置に送信する、解析器送信部と、
を備えていることを特徴とするサーバ装置。
【請求項２】
前記端末装置から、当該サーバ装置に、ニオイ解析対象を特定する解析条件情報が送信されており、
前記解析器選択部が、前記解析条件情報に基づいて、前記解析器を選択する、
請求項１に記載のサーバ装置。
【請求項３】
前記解析条件情報が、解析の際の精度を特定する精度情報と、前記ニオイセンサの周辺の環境を特定する環境情報とを更に含む、
請求項２に記載のサーバ装置。
【請求項４】
前記環境情報が、前記ニオイセンサの周辺の環境として、前記ニオイセンサの周辺の温度及び湿度のうち少なくとも一つ又は両方を特定する、
請求項３に記載のサーバ装置。
【請求項５】
前記ニオイ解析対象がユーザ由来のものである場合に、前記解析条件情報は、前記ユーザの個人情報を含む、
請求項２〜４のいずれかに記載のサーバ装置。
【請求項６】
前記端末装置において実行されるアプリケーションプログラムによって、１又は２以上のニオイ解析対象が指定され、前記端末装置から、当該サーバ装置に、指定された１又は２以上のニオイ解析対象を特定する前記解析条件情報が送信される、
請求項１〜５のいずれかに記載のサーバ装置。
【請求項７】
雰囲気中の複数種類の物質に反応してセンサデータを出力する、ニオイセンサから、前記センサデータを収集して、ニオイ解析対象の解析を行う、端末装置と、前記端末装置に通信可能に接続されたサーバ装置とを用いたニオイセンサデータ解析方法であって、
（ａ）前記端末装置によって、前記センサデータを収集する、ステップと、
（ｂ）前記サーバ装置によって、前記センサデータを分析して特定のニオイ解析対象を解析するための複数の解析器の中から、指定されたニオイ解析対象を解析可能な解析器を選択する、ステップと、
（ｃ）前記サーバ装置によって、選択された前記解析器を前記端末装置に送信する、ステップと、
（ｄ）前記端末装置によって、前記サーバ装置から送信されてきた前記解析器を取得する、ステップと、
（ｅ）前記端末装置によって、収集された前記センサデータに、取得された前記解析器を適用することによって、指定されたニオイ解析対象の解析処理を実行する、ステップ、
（ｆ）前記端末装置によって、解析処理の結果を示す情報を保持する、ステップと、
を有することを特徴とするニオイセンサデータ解析方法。
【請求項８】
雰囲気中の複数種類の物質に反応してセンサデータを出力する、ニオイセンサから、前記センサデータを収集して、ニオイ解析対象の解析を行う、端末装置に通信可能に接続されたコンピュータに、
（ａ）前記センサデータを分析して特定のニオイ解析対象を解析するための解析器を複数保持する、ステップと、
（ｂ）複数の前記解析器の中から、指定されたニオイ解析対象を解析可能な解析器を選択する、ステップと、
（ｃ）選択された前記解析器を前記端末装置に送信する、ステップと、
を実行させるプログラム。
【請求項９】
前記端末装置から、当該コンピュータに、ニオイ解析対象を特定する解析条件情報が送信されており、
前記（ｂ）のステップにおいて、前記解析条件情報に基づいて、前記解析器を選択する、
請求項８に記載のプログラム。
【請求項１０】
前記解析条件情報が、解析の際の精度を特定する精度情報と、前記ニオイセンサの周辺の環境を特定する環境情報とを更に含む、
請求項９に記載のプログラム。
【請求項１１】
前記環境情報が、前記ニオイセンサの周辺の環境として、前記ニオイセンサの周辺の温度及び湿度のうち少なくとも一つ又は両方を特定する、
請求項１０に記載のプログラム。
【請求項１２】
前記ニオイ解析対象がユーザ由来のものである場合に、前記解析条件情報は、前記ユーザの個人情報を含む、
請求項９〜１１のいずれかに記載のプログラム。
【請求項１３】
前記端末装置において実行されるアプリケーションプログラムによって、１又は２以上のニオイ解析対象が指定され、前記端末装置から、当該コンピュータに、指定された１又は２以上のニオイ解析対象を特定する前記解析条件情報が送信される、
請求項８〜１２のいずれかに記載のプログラム。
【請求項１４】
コンピュータによって、複数種類のニオイに反応してセンサデータを出力する、ニオイセンサから、前記センサデータを収集して、ニオイ解析対象の解析を行うための、プログラムを記録したプログラムであって、
前記コンピュータに、
（ａ）前記センサデータを収集する、ステップと、
（ｂ）前記センサデータを分析して特定のニオイ解析対象を解析するための解析器を複数保持する、サーバ装置から、指定されたニオイ解析対象を解析可能な解析器が端末装置へと送信された場合に、送信されてきた前記解析器を取得する、ステップと、
（ｃ）収集された前記センサデータに、取得された前記解析器を適用することによって、指定されたニオイ解析対象の解析処理を実行する、ステップと、
（ｄ）解析処理の結果を示す情報を保持する、ステップと、
を実行させるプログラム。
【請求項１５】
前記プログラムが、前記コンピュータに、
（ｅ）１又は２以上のニオイ解析対象の指定を受け付け、指定された解析対象となる物資を特定する解析条件情報を生成する、ステップと、
（ｆ）生成された前記解析条件情報を、前記サーバ装置に送信する、ステップと、を実行させる命令を更に含む、
請求項１４に記載のプログラム。
【請求項１６】
前記プログラムが、前記コンピュータに、
（ｇ）前記ニオイセンサの周辺の環境を特定する環境情報を生成する、ステップを実行させる命令を更に含み、
前記（ｅ）のステップにおいて、更に、解析の際の精度の指定を受け付け、指定された解析の際の精度を更に特定する、前記解析条件情報を生成し、
前記（ｆ）のステップにおいて、前記解析条件情報に前記環境情報を付加し、前記環境情報が付加された前記解析条件情報を、前記サーバ装置に送信する、
請求項１５に記載のプログラム。
【請求項１７】
前記（ｇ）のステップにおいて、前記ニオイセンサの周辺の温度及び湿度のうち少なくとも一つを測定するセンサが出力したセンサデータから、前記ニオイセンサの周辺の温度及び湿度のうち少なくとも一つ又は両方を特定する、前記環境情報を生成する、
請求項１６に記載のプログラム。
【請求項１８】
前記（ｅ）のステップにおいて、前記ニオイ解析対象がユーザ由来のものである場合に、更に、前記ユーザの個人情報の入力を受け付け、受け付けられた前記個人情報を更に特定する、前記解析条件情報を作成する、
請求項１５〜１７のいずれかに記載のプログラム。
【請求項１９】
前記プログラムが、前記コンピュータに、
（ｈ）アプリケーションプログラムを実行する、ステップを実行させる命令を更に含み、
前記（ｅ）のステップにおいて、前記アプリケーションプログラムによる、１又は２以上のニオイ解析対象の指定を受け付けると、指定されたニオイ解析対象を特定する、前記解析条件情報を生成する、
請求項１５に記載のプログラム。
【請求項２０】
前記（ｃ）のステップにおいて、解析処理の結果から、前記ニオイ解析対象のレベルを推定し、
前記（ｄ）のステップにおいて、解析処理の結果を示す情報として、推定された前記レベルを、画面上に表示する、
請求項１４〜１９のいずれかに記載のプログラム。
【手続補正３】
【補正対象書類名】明細書
【補正対象項目名】０００１
【補正方法】変更
【補正の内容】
【０００１】
本発明は、雰囲気中の物質に基づき香り又はニオイの検出が可能なニオイセンサを用いてニオイセンサデータの解析を行うための、サーバ装置、及びニオイセンサデータ解析方法に関し、更には、これらを実現するためのプログラムに関する。
【手続補正４】
【補正対象書類名】明細書
【補正対象項目名】００１１
【補正方法】変更
【補正の内容】
【００１１】
本発明の目的の一例は、上記問題を解消し、ニオイ解析対象が固定されていないニオイセンサを用いて物質検出を行う場合において、多数の解析器を実装することなく、状況に応じた解析器の利用を可能にし得る、サーバ装置、ニオイセンサデータ解析方法、及びプログラムを提供することにある。
【手続補正５】
【補正対象書類名】明細書
【補正対象項目名】００１３
【補正方法】変更
【補正の内容】
【００１３】
上記目的を達成するため、本発明の一側面における端末装置は、複数種類のニオイに反応してセンサデータを出力する、ニオイセンサから、前記センサデータを収集して、ニオイ解析対象の解析を行う、端末装置であって、
前記センサデータを収集する、センサデータ収集部と、
前記センサデータを分析して特定のニオイ解析対象を解析するための解析器を複数保持する、サーバ装置から、指定されたニオイ解析対象を解析可能な解析器が当該端末装置へと送信された場合に、送信されてきた前記解析器を取得する、解析器取得部と、
収集された前記センサデータに、取得された前記解析器を適用することによって、指定されたニオイ解析対象の解析処理を実行する、解析実行部と、
解析処理の結果を示す情報を保持する、解析結果保持部と、
を備えていることを特徴とする。
【手続補正６】
【補正対象書類名】明細書
【補正対象項目名】００１４
【補正方法】変更
【補正の内容】
【００１４】
また、上記目的を達成するため、本発明の一側面におけるニオイセンサデータ解析方法は、雰囲気中の複数種類の物質に反応してセンサデータを出力する、ニオイセンサから、前記センサデータを収集して、ニオイ解析対象の解析を行う、端末装置と、前記端末装置に通信可能に接続されたサーバ装置とを用いたニオイセンサデータ解析方法であって、
（ａ）前記端末装置によって、前記センサデータを収集する、ステップと、
（ｂ）前記サーバ装置によって、前記センサデータを分析して特定のニオイ解析対象を解析するための複数の解析器の中から、指定されたニオイ解析対象を解析可能な解析器を選択する、ステップと、
（ｃ）前記サーバ装置によって、選択された前記解析器を前記端末装置に送信する、ステップと、
（ｄ）前記端末装置によって、前記サーバ装置から送信されてきた前記解析器を取得する、ステップと、
（ｅ）前記端末装置によって、収集された前記センサデータに、取得された前記解析器を適用することによって、指定されたニオイ解析対象の解析処理を実行する、ステップ、
（ｆ）前記端末装置によって、解析処理の結果を示す情報を保持する、ステップと、
を有することを特徴とする。
【手続補正７】
【補正対象書類名】明細書
【補正対象項目名】００１５
【補正方法】変更
【補正の内容】
【００１５】
更に、上記目的を達成するため、本発明の一側面における第１のプログラムは、雰囲気中の複数種類の物質に反応してセンサデータを出力する、ニオイセンサから、前記センサデータを収集して、ニオイ解析対象の解析を行う、端末装置に通信可能に接続されたコンピュータに、
（ａ）前記センサデータを分析して特定のニオイ解析対象を解析するための解析器を複数保持する、ステップと、
（ｂ）複数の前記解析器の中から、指定されたニオイ解析対象を解析可能な解析器を選択する、ステップと、
（ｃ）選択された前記解析器を前記端末装置に送信する、ステップと、
を実行させることを特徴とする。
【手続補正８】
【補正対象書類名】明細書
【補正対象項目名】００１６
【補正方法】変更
【補正の内容】
【００１６】
更に、上記目的を達成するため、本発明の一側面における第２のプログラムは、コンピュータによって、複数種類のニオイに反応してセンサデータを出力する、ニオイセンサから、前記センサデータを収集して、ニオイ解析対象の解析を行うための、プログラムであって、
前記コンピュータに、
（ａ）前記センサデータを収集する、ステップと、
（ｂ）前記センサデータを分析して特定のニオイ解析対象を解析するための解析器を複数保持する、サーバ装置から、指定されたニオイ解析対象を解析可能な解析器が当該端末装置へと送信された場合に、送信されてきた前記解析器を取得する、ステップと、
（ｃ）収集された前記センサデータに、取得された前記解析器を適用することによって、指定されたニオイ解析対象の解析処理を実行する、ステップと、
（ｄ）解析処理の結果を示す情報を保持する、ステップと、
を実行させることを特徴とする。
【手続補正９】
【補正対象書類名】明細書
【補正対象項目名】００４２
【補正方法】変更
【補正の内容】
【００４２】
また、本実施の形態において、ニオイセンサ４０としては、例えば、上述したＭＳＳが用いられる。この場合、ニオイセンサ４０が出力したセンサデータは、図４に示す通りとなる。図４の例では、ＭＳＳを構成するＭＳＳ素子の一つによって出力されたセンサデータが示されている。また、ニオイセンサ４０は、設定されたサンプリングレートでセンサデータを出力する。なお、図４に示されている、ｉ０、ｉ１、ｉ２、・・・は、で添字であり、これについては後述する。また、添字において「ｉ」は特定のＭＳＳ素子から出力されていることを示している。異なるＭＳＳ素子から出力された場合は、「ｉ」以外のアルファベットが割り当てられる。
【手続補正１０】
【補正対象書類名】明細書
【補正対象項目名】００６２
【補正方法】変更
【補正の内容】
【００６２】
次に、解析実行部２３は、ステップＡ６で収集されたセンサデータに対して、特徴量抽出モジュールを用いて前処理を実行し、そして、前処理後のセンサデータに、ステップＡ６で選択した解析器を適用して、指定されたニオイ解析対象に対して、解析処理を実行する（ステップＡ７）。また、解析実行部２３は、解析処理の結果を示す情報を、解析結果保持部２４に渡す。
【手続補正１１】
【補正対象書類名】明細書
【補正対象項目名】００７７
【補正方法】変更
【補正の内容】
【００７７】
解析結果保持部２４は、推定された段階評価を表示装置２９の画面上に表示することができる。また、解析結果保持部２４は、段階評価に加えて、ユーザに対するメッセージも同時に画面上に表示することができる。具体的には、解析結果保持部２４は、メッセージとして、例えば、段階評価が「未熟」の場合は「まだ値下げ不要」と表示し、「適熟」の場合は「食べごろサインをつける」と表示し、「過熟ぎみ」の場合は「値引きせよ」と表示し、「だめ」の場合は「処分」と表示する。
【手続補正１２】
【補正対象書類名】明細書
【補正対象項目名】００７８
【補正方法】変更
【補正の内容】
【００７８】
また、サーバ装置１０から段階評価に応じた具体的な価格を示す情報が送信されてくる場合、端末装置２０内に段階評価に応じて価格を設定する機能が備えられている場合は、解析結果保持部２４は、段階評価に対応した価格を画面上に表示することもできる。更に、端末装置２０は、値札ラベルの印字及び添付を行う機能を備えている場合は、画面に価格が表示されると、その価格の値札ラベルの印字及び添付を実行する。
【手続補正１３】
【補正対象書類名】明細書
【補正対象項目名】００８２
【補正方法】変更
【補正の内容】
【００８２】
この場合、データ受付部２６は、ニオイ解析対象である呼気及び精度に加えて、入力された情報も受け付け、これらを特定する解析条件情報を生成する。そして、データ送信部２８が、解析条件情報をサーバ装置１０に送信すると、本適用例２では、サーバ装置１０は、ユーザが入力した情報も用いて、最適な解析器と特徴量抽出モジュールとを選択して、これらを端末装置２０に送信する。
【手続補正１４】
【補正対象書類名】明細書
【補正対象項目名】０１０５
【補正方法】変更
【補正の内容】
【０１０５】
（付記７）
複数種類のニオイに反応してセンサデータを出力する、ニオイセンサから、前記センサデータを収集して、ニオイ解析対象の解析を行う、端末装置であって、
前記センサデータを収集する、センサデータ収集部と、
前記センサデータを分析して特定のニオイ解析対象を解析するための解析器を複数保持する、サーバ装置から、指定されたニオイ解析対象を解析可能な解析器が当該端末装置へと送信された場合に、送信されてきた前記解析器を取得する、解析器取得部と、
収集された前記センサデータに、取得された前記解析器を適用することによって、指定されたニオイ解析対象の解析処理を実行する、解析実行部と、
解析処理の結果を示す情報を保持する、解析結果保持部と、
を備えていることを特徴とする端末装置。
【手続補正１５】
【補正対象書類名】明細書
【補正対象項目名】０１１２
【補正方法】変更
【補正の内容】
【０１１２】
（付記１４）
雰囲気中の複数種類の物質に反応してセンサデータを出力する、ニオイセンサから、前記センサデータを収集して、ニオイ解析対象の解析を行う、端末装置と、前記端末装置に通信可能に接続されたサーバ装置とを用いたニオイセンサデータ解析方法であって、
（ａ）前記端末装置によって、前記センサデータを収集する、ステップと、
（ｂ）前記サーバ装置によって、前記センサデータを分析して特定のニオイ解析対象を解析するための複数の解析器の中から、指定されたニオイ解析対象を解析可能な解析器を選択する、ステップと、
（ｃ）前記サーバ装置によって、選択された前記解析器を前記端末装置に送信する、ステップと、
（ｄ）前記端末装置によって、前記サーバ装置から送信されてきた前記解析器を取得する、ステップと、
（ｅ）前記端末装置によって、収集された前記センサデータに、取得された前記解析器を適用することによって、指定されたニオイ解析対象の解析処理を実行する、ステップ、
（ｆ）前記端末装置によって、解析処理の結果を示す情報を保持する、ステップと、
を有することを特徴とするニオイセンサデータ解析方法。
【手続補正１６】
【補正対象書類名】明細書
【補正対象項目名】０１１３
【補正方法】変更
【補正の内容】
【０１１３】
（付記１５）
雰囲気中の複数種類の物質に反応してセンサデータを出力する、ニオイセンサから、前記センサデータを収集して、ニオイ解析対象の解析を行う、端末装置に通信可能に接続されたコンピュータに、
（ａ）前記センサデータを分析して特定のニオイ解析対象を解析するための解析器を複数保持する、ステップと、
（ｂ）複数の前記解析器の中から、指定されたニオイ解析対象を解析可能な解析器を選択する、ステップと、
（ｃ）選択された前記解析器を前記端末装置に送信する、ステップと、
を実行させるプログラム。
【手続補正１７】
【補正対象書類名】明細書
【補正対象項目名】０１１４
【補正方法】変更
【補正の内容】
【０１１４】
（付記１６）
前記端末装置から、当該サーバ装置に、ニオイ解析対象を特定する解析条件情報が送信されており、
前記（ｂ）のステップにおいて、前記解析条件情報に基づいて、前記解析器を選択する、
付記１５に記載のプログラム。
【手続補正１８】
【補正対象書類名】明細書
【補正対象項目名】０１１５
【補正方法】変更
【補正の内容】
【０１１５】
（付記１７）
前記解析条件情報が、解析の際の精度を特定する精度情報と、前記ニオイセンサの周辺の環境を特定する環境情報とを更に含む、
付記１６に記載のプログラム。
【手続補正１９】
【補正対象書類名】明細書
【補正対象項目名】０１１６
【補正方法】変更
【補正の内容】
【０１１６】
（付記１８）
前記環境情報が、前記ニオイセンサの周辺の環境として、前記ニオイセンサの周辺の温度及び湿度のうち少なくとも一つ又は両方を特定する、
付記１７に記載のプログラム。
【手続補正２０】
【補正対象書類名】明細書
【補正対象項目名】０１１７
【補正方法】変更
【補正の内容】
【０１１７】
（付記１９）
前記ニオイ解析対象がユーザ由来のものである場合に、前記解析条件情報は、前記ユーザの個人情報を含む、
付記１６〜１８のいずれかに記載のプログラム。
【手続補正２１】
【補正対象書類名】明細書
【補正対象項目名】０１１８
【補正方法】変更
【補正の内容】
【０１１８】
（付記２０）
前記端末装置において実行されるアプリケーションプログラムによって、１又は２以上のニオイ解析対象が指定され、前記端末装置から、当該サーバ装置に、指定された１又は２以上のニオイ解析対象を特定する前記解析条件情報が送信される、
付記１５〜１９のいずれかに記載のプログラム。
【手続補正２２】
【補正対象書類名】明細書
【補正対象項目名】０１１９
【補正方法】変更
【補正の内容】
【０１１９】
（付記２１）
コンピュータによって、複数種類のニオイに反応してセンサデータを出力する、ニオイセンサから、前記センサデータを収集して、ニオイ解析対象の解析を行うための、プログラムを記録したコンピュータ読み取り可能な記録媒体であって、
前記コンピュータに、
（ａ）前記センサデータを収集する、ステップと、
（ｂ）前記センサデータを分析して特定のニオイ解析対象を解析するための解析器を複数保持する、サーバ装置から、指定されたニオイ解析対象を解析可能な解析器が当該端末装置へと送信された場合に、送信されてきた前記解析器を取得する、ステップと、
（ｃ）収集された前記センサデータに、取得された前記解析器を適用することによって、指定されたニオイ解析対象の解析処理を実行する、ステップと、
（ｄ）解析処理の結果を示す情報を保持する、ステップと、
を実行させるプログラム。
【手続補正２３】
【補正対象書類名】明細書
【補正対象項目名】０１２０
【補正方法】変更
【補正の内容】
【０１２０】
（付記２２）
前記プログラムが、前記コンピュータに、
（ｅ）１又は２以上のニオイ解析対象の指定を受け付け、指定された解析対象となる物資を特定する解析条件情報を生成する、ステップと、
（ｆ）生成された前記解析条件情報を、前記サーバ装置に送信する、ステップと、
を実行させる命令を更に含む、
付記２１に記載のプログラム。
【手続補正２４】
【補正対象書類名】明細書
【補正対象項目名】０１２１
【補正方法】変更
【補正の内容】
【０１２１】
（付記２３）
前記プログラムが、前記コンピュータに、
（ｇ）前記ニオイセンサの周辺の環境を特定する環境情報を生成する、ステップを実行させる命令を更に含み、
前記（ｅ）のステップにおいて、更に、解析の際の精度の指定を受け付け、指定された解析の際の精度を更に特定する、前記解析条件情報を生成し、
前記（ｆ）のステップにおいて、前記解析条件情報に前記環境情報を付加し、前記環境情報が付加された前記解析条件情報を、前記サーバ装置に送信する、
付記２２に記載のプログラム。
【手続補正２５】
【補正対象書類名】明細書
【補正対象項目名】０１２２
【補正方法】変更
【補正の内容】
【０１２２】
（付記２４）
前記（ｇ）のステップにおいて、前記ニオイセンサの周辺の温度及び湿度のうち少なくとも一つを測定するセンサが出力したセンサデータから、前記ニオイセンサの周辺の温度及び湿度のうち少なくとも一つ又は両方を特定する、前記環境情報を生成する、
付記２３に記載のプログラム。
【手続補正２６】
【補正対象書類名】明細書
【補正対象項目名】０１２３
【補正方法】変更
【補正の内容】
【０１２３】
（付記２５）
前記（ｅ）のステップにおいて、前記ニオイ解析対象がユーザ由来のものである場合に、更に、前記ユーザの個人情報の入力を受け付け、受け付けられた前記個人情報を更に特定する、前記解析条件情報を作成する、
付記２２〜２４のいずれかに記載のプログラム。
【手続補正２７】
【補正対象書類名】明細書
【補正対象項目名】０１２４
【補正方法】変更
【補正の内容】
【０１２４】
（付記２６）
前記プログラムが、前記コンピュータに、
（ｈ）アプリケーションプログラムを実行する、ステップを実行させる命令を更に含み、
前記（ｅ）のステップにおいて、前記アプリケーションプログラムによる、１又は２以上のニオイ解析対象の指定を受け付けると、指定されたニオイ解析対象を特定する、前記解析条件情報を生成する、
付記２２に記載のプログラム。
【手続補正２８】
【補正対象書類名】明細書
【補正対象項目名】０１２５
【補正方法】変更
【補正の内容】
【０１２５】
（付記２７）
前記（ｃ）のステップにおいて、解析処理の結果から、前記ニオイ解析対象のレベルを推定し、
前記（ｄ）のステップにおいて、解析処理の結果を示す情報として、推定された前記レベルを、画面上に表示する、
付記２１〜２６のいずれかに記載のプログラム。
【手続補正２９】
【補正対象書類名】図面
【補正対象項目名】図８
【補正方法】変更
【補正の内容】
【図８】
2019069959.tif 000014
【国際調査報告】
2019069959.tif 000015
2019069959.tif 000016